(57)【要約】【課題】  電気料金スケジュールから電力コストが低い時間帯に移行する場合、印刷を電力コストが低い時間帯に実施しようとして印刷が集中する。しかしキャリブレーションや省電力状態からの復帰処理など印刷に関係ない処理が実施されることにより、電力コストが低い時間帯に実施できない印刷ジョブが発生していた。【解決手段】  単位電力量あたりの電力コストである単位コストの使用時刻による変動を示す電力コスト基本情報を管理するコスト情報管理手段を持つ。また所定の印刷枚数ごとにキャリブレーションを実行する手段を持つ。また上記電力コスト基本情報に基づいて、電気料金が低コスト時間帯から高コスト時間帯に変化する時間を抽出する。そしてキャリブレーション実行までの所定印刷枚数が一定の枚数以下の場合、キャリブレーションを電気料金が低コスト時間帯から高コスト時間帯に移行する所定時間前に実施することを特徴とする。【選択図】  図２
2015166151.tif 000002
【特許請求の範囲】
【請求項１】
画像形成装置に関して、単位電力量あたりの電力コストの使用時刻による変動を示す電力コスト情報１２３を管理する電力情報管理部１２２と、所定の印刷枚数ごとにキャリブレーションを実行する手段とを有し、上記電力コスト情報１２３に基づいて、電気料金が低コスト時間帯から高コスト時間帯に変化する高電力コスト時間帯移行時刻１３１を抽出し、前回のキャリブレーション実行からの印刷枚数１３４がキャリブレーション前倒し判断に使用する印刷枚数１３５以下の場合、キャリブレーションを高電力コスト時間帯移行時刻１３１の高電力コスト時間帯移行前処理実行タイミング１３２前に実施することを特徴とする画像形成装置。
【請求項２】
高電力コスト時間帯移行時刻１３１の高電力コスト時間帯移行前処理実行タイミング１３２前の時間以降、高電力コスト時間帯移行時刻１３１になるまで省電力モードに移行しないことを特徴とする請求項１に記載の画像形成装置。
【請求項３】
高電力コスト時間帯移行時刻１３１の高電力コスト時間帯移行前処理実行タイミング１３２前の時間以降、高電力コスト時間帯移行時刻１３１になるまで、省電力モードへ移行するための時間を省電力モード移行延長時間１３６分延長することを特徴とする請求項１に記載の画像形成装置。
【請求項４】
印刷枚数記憶処理実施タイミング４１１から高コスト時間帯に変化する高電力コスト時間帯移行時刻１３１までの時間内の印刷指示を受け付けた時間、および印刷枚数を印刷情報処理間隔５２０でカウントして保持する手段と、受け付けた印刷指示数と印刷枚数、画像形成装置の生産性、印刷開始のための処理時間、印刷終了のために係る処理時間から印刷に係る印刷動作時間５２４を算出する手段と、印刷動作時間５２４にマージン５２５を加えた時間が高電力コスト時間帯移行時刻までの時間より大きくなる時刻からの低電力時間帯残時間５２６を算出する手段と、前処理時間リスト保持期間５２８分の情報を保持する手段を持つことにより、高電力コスト時間帯移行時刻１３１前にキャリブレーションを行うための高電力コスト時間帯移行前処理実施時間５２９を算出することができることを特徴とする請求項１乃至請求項３の何れか一項に記載の画像形成装置。
【請求項５】
高電力コスト時間帯移行前処理実施時間５２９から、高電力コスト時間帯移行時刻１３１までに実施される印刷枚数をカウントすることにより、キャリブレーションを前倒して実施するために必要なキャリブレーション前倒し判断に使用する印刷枚数１３５算出し、高電力コスト時間帯移行前処理実施時間５２９までに印刷された枚数がキャリブレーション前倒し判断に使用する印刷枚数１３５より多い場合はキャリブレーションを高電力コスト時間帯移行前処理実施時間５２９に前倒して実行することを特徴とする請求項１乃至請求項４の何れか一項に記載の画像形成装置。
【発明の詳細な説明】
【技術分野】
【０００１】
本発明は、画像形成装置におけるジョブのスケジューリングに関するものである。
【背景技術】
【０００２】
従来から電気料金スケジュールを受信し、使用する電力コストを削減するために印刷ジョブを電力コストが低い時間帯に実行させるものがあった（特許文献１参照）。
【０００３】
また従来から受信した電力料金スケジュールに合わせて省電力モードをＯＮするタイミング、およびＯＦＦするタイミングを使用状況に合わせて学習、変更することにより電力コストを削減させるものがあった（特許文献２参照）。
【先行技術文献】
【特許文献】
【０００４】
【特許文献１】特開２００７−２３７５５４号公報
【特許文献２】特開２０１０−１９８８１７号公報
【発明の概要】
【発明が解決しようとする課題】
【０００５】
しかしながら電気料金スケジュールから電力コストが低い時間帯に移行する場合、印刷を電力コストが高い時間帯に移行する前に実施しようとして印刷が集中する。しかし印刷時にキャリブレーションや省電力状態からの復帰処理など印刷に関係ない処理が実施されると印刷が停止する状態が発生し、電力コストが高い時間帯移行するまでに実施できない印刷ジョブが発生していた。
【課題を解決するための手段】
【０００６】
上述した課題を解決するために、本発明に係る画像形成装置は以下の構成を有する。単位電力量あたりの電力コストである単位コストの使用時刻による変動を示す電力コスト基本情報を管理するコスト情報管理手段を持つ。また所定の印刷枚数ごとにキャリブレーションを実行する手段を持つ。また上記電力コスト基本情報に基づいて、電気料金が低コスト時間帯から高コスト時間帯に変化する時間を抽出する。そしてキャリブレーション実行までの所定印刷枚数が一定の枚数以下の場合、キャリブレーションを電気料金が低コスト時間帯から高コスト時間帯に移行する所定時間前に実施することを特徴とする。
【０００７】
さらに、低コスト時間帯から高コスト時間帯に移行する前の所定時間以降、電力コストが高い時間帯に移行するまで省電力モードに移行しないことを特徴とする。
【０００８】
さらに、低コスト時間帯から高コスト時間帯に移行する前の所定時間以降、電力コストが高い時間帯に移行するまで省電力モードへ移行するための時間を延長することを特徴とする。
【０００９】
さらに、本発明の画像形成装置は、キャリブレーション実行までの所定印刷枚数とキャリブレーションの実行判断を行うための所定枚数はユーザ、サービスマンにより設定された数値を使用することができる。また同様にキャリブレーションを実施するために使用する電気料金が低コスト時間帯から高コスト時間帯に移行する前の所定時間もユーザ、サービスマンにより設定された数値を使用することができる。
【００１０】
さらに、本発明の画像形成装置は以下の構成を有する。電力コストが高い時間帯に移行するまでの所定時間内に印刷したジョブ数、および印刷枚数を時間ごとにカウントする手段を持つ。またカウントしたジョブ数と印刷枚数、画像形成装置の生産性、印刷開始のための処理時間、印刷終了のために係る処理時間から印刷に係る時間を算出する手段を持つ。また印刷に係る時間と高電力コスト時間帯移行時刻までの時間が一定の割合を超える時刻を算出する手段を持つ。また一定の期間分の印刷枚数、印刷に係る時間と高電力コスト時間帯移行時刻までの時間が一定の割合を超える時刻から高電力コスト時間帯移行時刻までの時間を保存する手段を持つ。以上の構成から高コスト時間帯に移行する時間から所定時間前にキャリブレーションを行うための所定時間、および省電力モードの切り替えを行う所定時間を決定することができることを特徴とする。
【００１１】
さらに、本発明の画像形成装置は予め算出されたキャリブレーションを実行するタイミングから、電力コストが高い時間帯に移行する時間までに実施される印刷枚数をカウントする。印刷枚数のカウントとキャリブレーションを実施する所定の印刷枚数までの印字枚数が、電力コストが高い時間帯に移行するまでに印刷される枚数の平均値より少ない場合にはキャリブレーションを実施することを特徴とする。
【発明の効果】
【００１２】
本発明によれば、電力コストが高い時間帯に移行する所定時間前にキャリブレーションをあらかじめ実施しておくことにより、印刷が集中しやすい時間帯にキャリブレーションによる停止時間を削減できる。また電力コストが高い時間帯に移行する所定時間前から省電力モードから復帰すると、再度省電力モードに入らないようにすることにより、その後復帰時に生じるイニシャルのために生じる停止時間を削減できる。また省電力モードへ移行するための時間を延長することにより、省電力モードへ入り、その後復帰した場合に生じるイニシャルのために生じる停止時間を削減することができる。以上の効果により、本発明による画像形成装置は電力コストが高い時間帯に移行する前に生じる印刷集中時に、画像形成装置が印刷できない停止時間を削減することにより高コスト時間帯で印刷されることを防ぐことができる。
【図面の簡単な説明】
【００１３】
【図１】本発明の画像形成装置の構成を示すブロック図である。
【図２】本発明の画像形成装置の高電力コスト時間帯移行前処理を説明するためのフローチャートである。
【図３】本発明の電力コスト切換時処理の設定を行う画面の表示例である。
【図４】本発明の印刷枚数記憶処理を説明するためのフローチャートである。
【図５】本発明の印刷情報管理処理を説明するためのフローチャートである。
【図６】本発明の印刷分布リストである。
【図７】本発明の残ジョブ印刷動作時間リストである。
【図８】本発明の高電力コスト時間帯移行前処理時間リストである。
【図９】本発明の画像形成装置の高電力コスト時間帯移行前処理を説明するための動作状態を示した図である。
【図１０】本発明の電気料金平均値計算の開始と終了の時間を設定する画面の表示例である。
【図１１】本発明の電力情報の一例を示した図である。
【発明を実施するための形態】
【００１４】
以下、本発明を実施するための形態を図面に基づいて説明する。
【実施例１】
【００１５】
以下、本発明を実施するための最良の形態について図面を用いて説明する。
【００１６】
図１は、本発明による画像形成装置１００の内部構成と外部Ｉ／Ｆを示すブロック図である。画像形成装置１００は、ＲＯＭ１０２に記憶されたソフトウェアを実行するＣＰＵ１０１を備える。ＣＰＵ１０１は、システムバス１０８に接続される各デバイスを総括的に制御する。ＲＯＭ１０２は、不揮発性メモリであり、データ送信処理部１２０、データ受信処理部１２１、電力情報管理部１２２、印刷情報管理部１２３、画像形成装置管理部１２４を実行するためのソフトウェアを記憶する。またＲＯＭ１０２は電力情報サーバ設定１３０、高電力コスト時間帯移行時刻１３１、高電力コスト時間帯移行前処理実行タイミング１３２、キャリブレーション実施間隔の印刷枚数１３３、キャリブレーション実施後の印刷枚数１３４、キャリブレーション前倒し判断に使用する印刷枚数１３５等の画像形成装置１００のデバイスデータを記憶する。ＲＡＭ１０３は、揮発メモリであり、ＣＰＵ１０１の主メモリ、ワークエリアを一時的に保存される記憶域として機能する。外部入力コントローラ（ＰＡＮＥＬ）１１１は、各種キーやボタン、タッチパネル等を備え、また、液晶ディスプレイ、ＬＥＤなどで構成される表示モジュールを有する。  ネットワークインタフェースカード（ＮＩＣ）１０４は、ネットワーク１０５を介し、電力情報サーバ１１２等との間で双方向にデータ通信を実行する。プリンタ（Ｐｒｉｎｔｅｒ）１１０は、電子写真方式或いはインクジェット方式などで実現される紙への印字部であり、所定の印刷枚数ごとにキャリブレーションを実施する。システムバス１０８は、ＣＰＵ１０１と各ブロック間の信号を伝達する。
【００１７】
本発明による電力情報管理において電力情報取得処理は、画像形成装置１００が、電力情報取得要求を電力情報サーバ１１２にネットワーク１０５経由で送信する。電力情報サーバ１１２は、電力取得要求を受信すると電力情報を電力情報取得応答で電力情報を画像形成装置１００に送信する。電力情報サーバ１１２は、電力会社の電力コスト情報を公開しているサーバ、または、各企業に設置された電力情報用のサーバである。  画像形成装置１００は、ＨＴＴＰにより電力情報を要求し、その応答から入手した各種フォーマット（ＨＴＭＬ／ＰＤＦ等）に応じて電力情報を抽出する。電力情報は図１１に一例を示す。電力情報は時間帯１１０１と電気料金１１０２、日付１１０３とが関連付けられており、図１１における電力情報は１時間単位の電気料金を示している。
【００１８】
本発明による画像形成装置１００の電力情報管理における電力コスト情報の管理は、画像形成装置１００が電力情報サーバより取得した電力情報を元に、各時間帯の各電力情報を更新する。更新された電力情報から高電力コスト時間帯に移行する時間を抽出して高電力コスト移行時間帯情報を更新し、電力情報設定処理を終了する。電力情報の取得指示は起動時、または予め定められた時刻（週１回、１日１回等）に実施される。また高電力コスト時間帯の判断であるが、電力情報から２４時間の電気料金の平均値、ユーザ、サービスマンが設定する時間帯の電気料金の平均値、ユーザ、サービスマンが設定する閾値のいずれかを用いて行う。次に図１１に示される電力情報の一例を用いて、ユーザ、サービスマンが設定する時間帯の電気料金の平均値を用いた高電力コスト時間帯の判断の例を示す。図１０は予めユーザ、サービスマンが設定する電気料金の平均値を求める時間帯を設定する行われるＰＡＮＥＬ１１１の表示例である。ユーザ、もしくはサービスマンは１００１にて電気料金の平均値を計算するための開始時間、１００２にて終了時間を設定できる。例えば図１１の２０１２年５月１８日７時から２１時までの電気料金の平均値は３３．７円／ｋＷｈなので、４８円／ｋＷｈの時間帯である１３時から１７時までを高電力コスト時間帯と判断する。
【００１９】
図２は、本発明による画像形成装置管理部においてＣＰＵ１０１が実施する高電力コスト時間帯移行前処理を示したフローチャートである。ＣＰＵ１０１は高電力コスト時間帯移行前処理では、前回のキャリブレーション実施からの印刷枚数１３４に応じて行うキャリブレーションの前倒し処理と、省電力モード解除処理を実施する。ステップ２０１にてＣＰＵ１０１は現在時刻と高電力コスト時間帯移行時刻１３１、高電力コスト時間帯移行前処理実行タイミング１３２から高電力コスト時間帯移行前処理を実施するタイミングであることを判断する。ステップ２０２にてＣＰＵ１０１は省電力モード移行の設定をＯＦＦし、高電力コスト時間帯移行時間帯まで省電力モードから復帰後は省電力モードへの移行を行わない。ステップ２０３にてＣＰＵ１０１は前回のキャリブレーション実施からの印刷枚数１３４とキャリブレーション前倒し判断に使用する印刷枚数１３５とを比較する。ＣＰＵ１０１はキャリブレーション実施からの印刷枚数１３４よりキャリブレーション前倒し判断に使用する印刷枚数１３５が大きい場合には、ステップ２０４にてキャリブレーションを実施しキャリブレーション実施からの印刷枚数１３４をクリアする。高電力コスト時間帯移行時刻後は、ＣＰＵ１０１はステップ２０２で設定された省電力モード移行設定をＯＮに変更して省電力モードへの移行を可能にする。
【００２０】
また図９は、図２に示されるＣＰＵ１０１が実施する高電力コスト時間帯移行前処理を示したフローチャートを実施した場合の画像形成装置１００の動作状態を示している。図９（ａ）にはキャリブレーションを前倒しして実施した場合の処理の状態を示している。ステップ９０１でステップ２０１の高電力コスト時間帯移行前処理タイミングになったことを示している。ステップ９０２でステップ２０２の省電力モード移行の許可をＯＦＦしている。ステップ９０３でステップ２０４にてキャリブレーションが前倒して実施されることを示している。ステップ９０３にてキャリブレーションが実施されると、省電力状態がＯＦＦされているのでＭＦＰは起動したままとなることを示している。その後、ステップ９０４にて高電力コスト時間帯移行時間に移行時刻になると、ステップ９０５で省電力モード移行設定をＯＮに変更することを示している。その後、印刷ジョブを受け付けないまま省電力モード移行タイミングになるとＭＦＰは省電力モードに移行する。図９（ｂ）にはキャリブレーションを前倒しして実施されなかった場合の処理の状態を示している。ステップ９０６でステップ２０１の高電力コスト時間帯移行前処理タイミングになったことを示している。ステップ９０７でステップ２０２の省電力モード移行の許可をＯＦＦしている。ステップ９０８でステップ２０４にてキャリブレーションが前倒して実施されなかった場合、ＭＦＰの起動は高電力コスト時間帯移行前処理実施タイミング後に受け付けたプリントジョブで行われることを示している。そしてステップ９０８にてイニシャル動作、プリント動作が実施されると、省電力状態がＯＦＦされているのでＭＦＰは起動したままとなることを示している。その後、ステップ９０９にて高電力コスト時間帯移行時間に移行時刻になると、ステップ９１０で省電力モード移行設定をＯＮに変更することを示している。その後、印刷ジョブを受け付けないまま省電力モード移行タイミングになるとＭＦＰは省電力モードに移行する。
【００２１】
図３（ａ）は高電力コスト時間帯移行前処理実行タイミング１３２とキャリブレーション前倒し判断に使用する印刷枚数１３５を設定するＰＡＮＥＬ１１１の表示例を示す。ユーザ、もしくはサービスマンは３０１にて高電力コスト時間帯移行時刻１３１に対し、高電力コスト時間帯移行前処理を前もって実施する時間である１３２を設定できる。また３０２にてキャリブレーションの実施を前倒して実施するための印刷枚数１３５を設定できる。３０２にて設定できる印刷枚数１３５はキャリブレーションを実行する間隔の印刷枚数１３３以下である。また３０２にて設定できる印刷枚数１３５は枚数を直接入力でも、キャリブレーションを実行する間隔の印刷枚数１３３に割合を設定することで算出してもよい。
【００２２】
以上の説明による画像形成装置１００の高電力コスト時間帯移行前処理を実施することにより、高電力コスト時間帯移行前に予めキャリブレーション、省電力モードからの復帰処理が実行されて印刷が実行できない時間を省くことができる。
【実施例２】
【００２３】
実施例１では高電力コスト時間帯移行前処理を実施すると省電力モードへ入るための設定をＯＦＦしていたが、省電力モードへ入るための印字完了からの時間を延長することもできる。省電力モードへ入るための印字完了からの時間の延長時間に関しては、図３（ｂ）でユーザ、サービスマンが設定する省電力モード移行延長時間１３６の設定画面である。３０３に省電力モード移行延長時間１３６を延長する時間、もしくは割合を設定できる。省電力モード移行延長時間１３６はＲＯＭ１０２にデバイスデータで保存される。
【００２４】
以上の説明による画像形成装置１００の高電力コスト時間帯移行前処理を実施することにより、省電力モードからの復帰処理が実行されて印刷が実行できない時間を省き、かつ省電力モードに入らない状況を防ぐことができる。
【実施例３】
【００２５】
次に本発明による第３の実施例を図３（ｃ）、４、５、６，７を用いて説明する。
【００２６】
図４は、本発明による画像形成装置の印刷情報管理部１２３において、ＣＰＵ１０１が実施する高電力コスト時間帯に移行前の印刷枚数記憶処理を示すフローチャートである。ステップ４０１にて現在時刻と高電力コスト時間帯移行時刻１３１、印刷枚数記憶処理実施タイミング４１１から印刷枚数記憶処理を実施するタイミングであることを判断する。ステップ４０２にて印刷指示を受け付けたことを判断し、ステップ４０３にて印刷指示を受け付けた時刻と印刷枚数をＲＡＭ１０３に保存する。ステップ４０４にて高電力コスト時間帯に移行したことを判断したらステップ４０５にて画像形成装置管理部に印刷情報管理処理の依頼を通知する。
【００２７】
図５は、本発明によるＣＰＵ１０１が実施する印刷情報管理処理のフローチャートである。
【００２８】
ＣＰＵ１０１はＲＡＭ１０３に保存されている印刷枚数記憶処理が保存した印刷指示受け付け時刻、および印刷枚数から印刷情報処理間隔５２０で受け付けた印刷枚数５２１と印刷指示回数５２２の印刷分布リスト（図６）を作成する（ステップ５０１）。
【００２９】
ＣＰＵ１０１はステップ５０１で作成した印刷分布リスト（図６）を用いて印刷枚数記憶処理開始時刻から印刷情報処理間隔５２０ごとに印刷動作時間計測開始時刻５２３として設定する。またＣＰＵ１０１は印刷動作時間計測開始時刻５２３から高電力コスト時間帯移行時刻１３１までに受け付けた印刷指示回数と印刷枚数をカウントする（ステップ５０２）。
【００３０】
ステップ５０２で計測された印刷指示回数５２１と印刷枚数５２２からＣＰＵ１０１は画像形成装置１００の生産性と印刷準備、および印刷終了に係る時間から高電力コスト時間移行時刻までに係る画像形成装置の動作時間を算出する。算出された高電力コスト時間移行時刻までに係る画像形成装置の動作時間を画像形成装置の残ジョブ印刷動作時間５２４とする（ステップ５０３）。
【００３１】
ステップ５０２で算出された印刷動作計測開始時刻５２３とステップ５０３で算出された残ジョブ印刷動作時間５２４からＣＰＵ１０１は残ジョブ印刷動作時間リスト（図７）を作成する（ステップ５０４）。
【００３２】
ＣＰＵ１０１は残ジョブ印刷動作時間リスト（図７）から印刷動作計測開始時刻５２３から高電力コスト時間帯移行時刻までの低コスト時間帯残時間と残ジョブ印刷動作時間５２４にマージン５２５を加えたものを比較する（ステップ５０５）。
【００３３】
そしてＣＰＵ１０１は残ジョブ印刷動作時間５２４にマージンを加えたものが大きくなる印刷動作計測開始時刻５２３を選出の後、高電力コスト時間帯移行時間までの低電力時間帯残時間５２６を算出する（ステップ５０６）。
【００３４】
その後、ＣＰＵ１０１は高電力コスト時間帯移行時刻までの印刷枚数５２７と日時を合わせてＲＯＭ１０２の高電力コスト時間帯移行前処理時間リスト（図８）に保存する（ステップ５０７）。
【００３５】
またＣＰＵ１０１は残ジョブ印刷動作時間５２４にマージン５２５を加えた時間が高電力コスト時間帯移行時刻までの時間を超えない場合、低電力時間帯時間を０、また印刷枚数を０枚で高電力コスト時間帯移行前処理時間リスト（図８）に日時と合わせて保存する（ステップ５０８）。
【００３６】
ステップ５０９にてＣＰＵ１０１は高電力コスト時間帯移行前処理時間リスト（図８）に前処理時間リスト保持期間５２８前の日時のデータが存在する場合はステップ５１０にて前処理時間リスト保持期間５２８以前のデータを削除する。
【００３７】
ステップ５１１にてＣＰＵ１０１は時間帯移行前処理時間リスト（図８）に保存されている前処理時間リスト保持期間５２８分の低電力時間帯残時間５２６と高電力コスト時間帯移行時刻までの印刷枚数５２７の平均値を算出する。
【００３８】
ＣＰＵ１０１は算出された平均値は高電力コスト時間帯移行前処理実施時間５２９として、印刷枚数の平均値を高電力コスト移行前処理実施時間中の印刷枚数５３０として算出し更新の後、終了する。
【００３９】
なお、高電力コスト時間帯移行前処理実施時間５２９にはキャリブレーションに係る時間も反映させる。
【００４０】
そしてＣＰＵ１０１は高電力コスト時間帯移行前処理に算出された高電力コスト時間帯移行前処理実施時間５２９と高電力コスト移行前処理実施時間中の印刷枚数５３０を反映させる。
【００４１】
ＣＰＵ１０１は高電力コスト時間帯移行前処理実施時間５２９を高電力コスト時間帯移行前処理実行タイミング１３２に、また高電力コスト移行前処理実施時間中の印刷枚数５３０をキャリブレーション前倒し判断に使用する印刷枚数１３５に反映する。
【００４２】
ＣＰＵ１０１は高電力コスト時間帯移行前処理実施時間５２９と高電力コスト移行前処理実施時間中の印刷枚数５３０を高電力コスト時間帯移行前処理に反映させることによりユーザの使用状況に合わせた制御ができる。
【００４３】
図３（ｃ）は印刷枚数記憶処理実施タイミング４１１、印刷情報処理間隔５２０、マージン５２５、前処理時間リスト保持期間５２８を設定するＰＡＮＥＬ１１１の表示例を示す。３０４では印刷枚数記憶処理実施タイミング４１１を時間で直接入力する。３０５では印刷情報処理間隔５２０を設定することができる。印刷情報処理間隔５２０は印刷枚数記憶処理実施タイミング４１１を超えない時間、もしくは印刷枚数記憶処理実施タイミング４１１内に実施する回数で設定することができる。３０６ではマージン５２５を指定された時間、もしくは残ジョブ印刷動作時間の一定の割合で設定できる。３０７では前処理時間リスト保持期間５２８を設定できる。前処理時間リスト保持期間５２８の最小値は１日、最大値は画像形成装置１００のＲＯＭ１０２が保持できる容量により決定される。
【００４４】
以上の説明による画像形成装置１００の高電力コスト時間帯移行前処理を実施することにより、ユーザの使用環境に合わせてキャリブレーションの前倒しと省電力モードの制御変更のタイミングを自動で変更して不要なキャリブレーションの実施と省電力モードに入らない状況を削減することができる。
【符号の説明】
【００４５】
１００：画像形成装置
１０１：ＣＰＵ
１０２：ＲＯＭ
１０３：ＲＡＭ
１０４：ＮＩＣ
１１０：Ｐｒｉｎｔｅｒ
１１１：Ｐａｎｅｌ
【図１】
2015166151.tif 000003
【図２】
2015166151.tif 000004
【図３】
2015166151.tif 000005
【図４】
2015166151.tif 000006
【図５】
2015166151.tif 000007
【図６】
2015166151.tif 000008
【図７】
2015166151.tif 000009
【図８】
2015166151.tif 000010
【図９】
2015166151.tif 000011
【図１０】
2015166151.tif 000012
【図１１】
2015166151.tif 000013